(57)【要約】【課題】  台板に対して支持体をスライド可能とするとともに、支持体を制止させることができ、かつ支持体の転倒を防止するオブジェクトエンドを提供する。【解決手段】  オブジェクトエンド１０１は、台板１及び支持体３を有している。台板１の上面には、長手方向に案内溝５が延在する。支持体３は、図書などのオブジェクトに当接する支持体本体部９と、案内溝５に挿入される溝挿入部１１とを有する。溝挿入部１１が、案内溝５の張り出し部１９に係止されることにより、支持体３は、案内溝５から外れることなく、案内溝５に沿ってスライド可能で、かつ傾倒しないように台板１に支持される。溝挿入部１１の底面には弾性部材が連結されており、この弾性部材により溝挿入部１１が張り出し部１９に押圧される。それにより、溝挿入部１１と張り出し部１９との間の摩擦力が強められる。この摩擦力が、支持体３を台板１に対して制止させる。【選択図】  図１
2020182652.tif 000002
【特許請求の範囲】
【請求項１】
オブジェクトエンドであって、
１列以上の案内溝が上面に延在する台板と、
前記１列以上の案内溝に沿ってスライド可能に前記台板に支持され、前記台板の上に載置されるオブジェクトを倒れないように横から支える支持体と、を備え、
前記１列以上の案内溝は、幅方向の２箇所以上の端部において、これらの端部が属する案内溝の内側に向かって張り出す２以上の張り出し部を有しており、
前記支持体は、倒れようとする前記オブジェクトに当接して前記オブジェクトを支える当接部分を有する支持体本体部と、当該支持体本体部の下部に連結され、前記１列以上の案内溝にそれぞれ挿入される１以上の溝挿入部とを有し、それにより、前記１以上の溝に案内されつつスライド可能であり、
前記支持体は、前記１以上の溝挿入部が前記１列以上の案内溝の前記２以上の張り出し部に係止されることにより、前記１列以上の案内溝から外れることなく、かつ傾倒しないように前記台板に支持され、
前記支持体は、弾性部材又は磁石を有し、前記１以上の溝挿入部を、前記１列以上の案内溝の内面との摩擦力を強めるように、前記弾性部材の弾性復元力又は前記磁石の磁気的吸引力により、前記１列以上の案内溝の前記内面に押圧する、オブジェクトエンド。
【請求項２】
前記１列以上の案内溝は、単一列の案内溝であり、
前記２以上の張り出し部は、前記単一列の案内溝の幅方向両端部において前記単一列の案内溝の内側に向かって張り出す２つの張り出し部であり、
前記支持体の前記１以上の溝挿入部は、単一の溝挿入部であり、
前記支持体は、前記弾性部材として、前記単一の溝挿入部に連結し、前記単一列の案内溝の底面を前記弾性復元力により押圧し、その反力により、前記単一の溝挿入部を、前記単一列の案内溝の前記２つの張り出し部に押圧する弾性部材を有し、
前記支持体の前記単一の溝挿入部は、前記弾性部材を受け入れることにより、前記単一の溝挿入部に対する前記底面に沿った前記弾性部材の動きを規制する後退部を、底面に有し、
前記支持体本体部を下方に押すことにより、前記弾性復元力に抗して前記単一の溝挿入部を押し下げることができ、それにより、前記単一の溝挿入部を前記２つの張り出し部から下方に離すことができる、請求項１に記載のオブジェクトエンド。
【請求項３】
前記支持体は、前記弾性部材と前記単一列の案内溝の底面との間に介在するように前記弾性部材に連結され、前記底面に対して摺動可能な摺動部材をさらに有し、
前記支持体の前記単一の溝挿入部は、前記後退部として、前記弾性部材とともに前記摺動部材をも受け入れることにより、前記単一の溝挿入部に対する前記底面に沿った前記弾性部材及び前記摺動部材の動きを規制する後退部を、底面に有する、請求項２に記載のオブジェクトエンド。
【請求項４】
前記１列以上の案内溝は、単一列の案内溝であり、
前記２以上の張り出し部は、前記単一列の案内溝の幅方向両端部において前記単一列の案内溝の内側に向かって張り出す２つの張り出し部であり、
前記支持体の前記１以上の溝挿入部は、単一の溝挿入部であり、
前記支持体は、前記磁石を、前記単一の溝挿入部の一部として有し、
前記台板は、上面が前記単一列の案内溝の底面の少なくとも一部を成すように、前記単一列の案内溝に沿って配置され、前記磁石を吸引する強磁性体を含むシート状ないし板状の吸引体を有し、
前記支持体は、前記磁石の吸引力により、前記単一の溝挿入部を、前記吸引体の前記上面に押圧し、
前記単一の溝挿入部と前記２つの張り出し部との間に、隙間が存する、請求項１に記載のオブジェクトエンド。
【請求項５】
前記支持体は、前記支持体本体部と前記単一の溝挿入部とが互いに固定されており、
前記単一の溝挿入部は、前記単一列の案内溝により、鉛直軸周りの回転が規制される平面輪郭形状を有する、請求項２から４のいずれかに記載のオブジェクトエンド。
【請求項６】
前記支持体は、前記支持体本体部と前記単一の溝挿入部とが互いに固定されており、
前記単一の溝挿入部は、円形の平面輪郭形状を有する、請求項２から４のいずれかに記載のオブジェクトエンド。
【請求項７】
前記１列以上の案内溝は、単一列または２列の案内溝であり、前記２以上の張り出し部として、全幅の両端部において、前記単一列または２列の案内溝の内側に向かって張り出す２つの張り出し部を有しており、
前記支持体の前記１以上の溝挿入部は、
前記単一列または２列の案内溝の前記全幅の両端部にそれぞれ沿う２つの線状部と、
前記２つの線状部から、互いに接近するように前記単一列または２列の案内溝の内側に、それぞれ延びる２つの内向部と、を有し、
前記支持体の前記支持体本体部は、前記２つの内向部を連結し、かつ前記台板の上方に延びる連結部を有し、
前記連結部は、前記全幅の両端部にそれぞれ沿う前記２つの線状部を、前記弾性部材の弾性復元力により、互いに拡幅する方向に付勢し、それにより前記２つの線状部を、前記単一列または２列の案内溝の前記全幅の両端部の内壁面に押圧し、
前記支持体は、前記２つの線状部が前記２つの張り出し部にそれぞれ係止されることにより、前記単一列または２列の案内溝から外れることなく、かつ傾倒しないように前記台板に支持され、
前記単一列または２列の案内溝は、各々の幅が、前記２つの線状部を前記全幅の両端部から離れるように縮幅可能な大きさに、設定されている、請求項１に記載のオブジェクトエンド。
【請求項８】
前記単一列または２列の案内溝は、各々の開口幅が、前記２つの線状部を、前記弾性復元力に抗して互いに縮幅させることにより、前記２つの線状部を前記単一列または２列の案内溝に着脱させることが可能な大きさに設定されている、請求項７に記載のオブジェクトエンド。
【請求項９】
前記連結部は、帯板状または棒状の部材を有し、
当該帯板状または棒状の部材は、前記２つの内向部を連結し、かつ前記台板の上方において屈曲又は湾曲した部分を含み、それにより前記弾性部材を構成して弾性変形可能である、請求項７又は８に記載のオブジェクトエンド。
【請求項１０】
前記連結部は、前記棒状の部材を有し、
前記２つの線状部及び前記２つの内向部は、当該棒状の部材とともに、連続した1本の棒状体を成す、請求項９に記載のオブジェクトエンド。
【請求項１１】
前記２つの内向部は、前記単一列または２列の案内溝が延在する一方向に関し、前記２つの線状部の前記一方向の端部からそれぞれ屈曲又は湾曲して、前記単一列または２列の案内溝の内側に延びており、
前記連結部の前記棒状の部材は、
前記台板に対し起立した起立部と、
当該起立部の下端から延び前記２つの内向部に連結する脚部と、を有し、
前記起立部は、前記２つの内向部から、前記一方向の反対方向にずれた位置にあり、
前記脚部は、前記単一列または２列の案内溝の上方に露出し、かつ前記起立部から前記一方向に離れた部分を有する、請求項１０に記載のオブジェクトエンド。
【請求項１２】
前記連結部は、帯板状の部材を有し、
前記２つの線状部及び前記２つの内向部は、前記帯板状の部材とともに、連続した1本の帯板状体を成しており、
前記連結部の前記帯板状の部材は、前記２つの内向部に連結し、かつ前記台板の上方において屈曲又は湾曲した部分を含み、それにより前記２つの線状部を互いに拡縮するように、弾性変形可能であり、
前記弾性部材は、両端が前記連結部の前記帯板状の部材に連結されており、それにより、前記連結部の前記帯板状の部材は、前記２つの線状部を、前記弾性部材の弾性復元力により、互いに拡幅する方向に付勢する、請求項７又は８に記載のオブジェクトエンド。
【請求項１３】
前記連結部は、前記台板の上方に位置する回動軸の周りに、一方が他方に対して回動することにより、開閉可能な２つの回動片を有しており、
前記２つの内向部は、前記２つの回動片の下端部に、それぞれ連結されており、
前記弾性部材は、両端が前記２つの回動片の前記一方と前記他方とに、それぞれ連結されており、それにより、前記２つの回動片は、前記２つの線状部を、前記弾性部材の弾性復元力により、互いに拡幅する方向に付勢する、請求項７又は８に記載のオブジェクトエンド。
【請求項１４】
前記支持体本体部は、前記連結部に装着され、前記当接部分を含み、前記台板に対して起立する板状体を、さらに有し、
前記連結部は、前記オブジェクトに面する、前記板状体の主面から後退し、かつ前記板状体から露出し、しかも前記単一列または２列の案内溝の上方に露出する部分を有する、請求項７から１３のいずれかに記載のオブジェクトエンド。
【請求項１５】
前記台板は、前記１列以上の案内溝に連通し、前記支持体の前記１以上の溝挿入部を前記１列以上の案内溝に出し入れするための開口部を、前記上面にさらに有する、請求項１から１４のいずれかに記載のオブジェクトエンド。  
【請求項１６】
前記台板は、各々が前記１列以上の案内溝のうち対応する案内溝の内面に沿うように屈曲しており、前記１列以上の案内溝にそれぞれ配置されたシート状ないし板状の１以上の案内溝部材を有する、請求項１から１５のいずれかに記載のオブジェクトエンド。
【請求項１７】
請求項１から１４のいずれかに記載のオブジェクトエンドの前記１列以上の案内溝に、それぞれ配置して使用するための１以上の案内溝部材であって、各々が前記台板の前記１列以上の案内溝のうち対応する案内溝の内面に沿うように屈曲している、案内溝部材。
【発明の詳細な説明】
【技術分野】
【０００１】
本発明は、台板の上に載置される本などの支持対象物（オブジェクト）を、倒れないように、台板上の支持体により横から支えるオブジェクトエンド、及び当該オブジェクトエンドに用いられる案内溝部材に関し、特に、台板に対して支持体をスライド可能とする技術に関する。
【背景技術】
【０００２】
従来、この種のオブジェクトエンドとして、特許文献１及び２に開示されるものが知られている。特許文献１に開示される従来技術は、ブックエンド付き書棚に関し、長尺の棚板（台板）の上面長手方向全長に亘って蟻溝が形成され、この蟻溝に支持体の基部であるスライダーが挿通されている（図１及び段落０００６参照）。それにより、支持体が台板の蟻溝に沿ってスライド可能となっている。特許文献２に開示される従来技術は、ブックエンドに関し、支持板（支持体）の下部の側面に磁石が取り付けられ、台（台板）の上面に鉄板が取り付けられている。支持板の磁石が鉄板に吸着することにより、支持板は鉄板に支持されるとともに、鉄板に沿ってスライド可能となっている。
【０００３】
しかし、特許文献１に開示される従来技術では、支持体が蟻溝に沿ってスライドする動きを制止する機構が無く、オブジェクトを支えたときに、オブジェクトから受ける反力によって、支持体がスライドし、オブジェクトを支える用を果たさなくなる恐れがある。また、特許文献２に開示される従来技術では、支持体は台板に磁力のみで支持されるので、オブジェクトからの反力が大きいときには支持体が倒れてしまい、同じく、オブジェクトを支える用を果たさなくなる恐れがある。
【先行技術文献】
【特許文献】
【０００４】
【特許文献１】特開２００２−６５３７３号公報
【特許文献２】実開昭６３−１１５３４０号公報
【発明の概要】
【発明が解決しようとする課題】
【０００５】
本発明は上記の問題点に鑑みてなされたもので、台板に対して支持体をスライド可能とするとともに、支持体を制止させることができ、かつ支持体の転倒を防止するオブジェクトエンド、及び当該オブジェクトエンドに用いられる案内溝部材を提供することを目的とする。
【課題を解決するための手段】
【０００６】
上記目的を達成するために、本発明のうち第１の態様によるものは、オブジェクトエンドであって、１列以上の案内溝が上面に延在する台板と、前記１列以上の案内溝に沿ってスライド可能に前記台板に支持され、前記台板の上に載置されるオブジェクトを倒れないように横から支える支持体と、を備えている。前記１列以上の案内溝は、幅方向の２箇所以上の端部において、これらの端部が属する案内溝の内側に向かって張り出す２以上の張り出し部を有している。前記支持体は、倒れようとする前記オブジェクトに当接して前記オブジェクトを支える当接部分を有する支持体本体部と、当該支持体本体部の下部に連結され、前記１列以上の案内溝にそれぞれ挿入される１以上の溝挿入部とを有し、それにより、前記１以上の溝に案内されつつスライド可能である。前記支持体は、前記１以上の溝挿入部が前記１列以上の案内溝の前記２以上の張り出し部に係止されることにより、前記１列以上の案内溝から外れることなく、かつ傾倒しないように前記台板に支持される。前記支持体は、弾性部材又は磁石を有し、前記１以上の溝挿入部を、前記１列以上の案内溝の内面との摩擦力を強めるように、前記弾性部材の弾性復元力又は前記磁石の磁気的吸引力により、前記１列以上の案内溝の前記内面に押圧する。
【０００７】
この構成によれば、台板の上に載置されるオブジェクトを、倒れないように横から支える支持体が、台板の上面に延在する１列以上の案内溝に沿ってスライド可能に、台板に支持される。また、支持体は、支持体本体部の下部に連結される１以上の溝挿入部が、１列以上の案内溝の２以上の張り出し部に係止されることにより、１列以上の案内溝から外れることなく、かつ傾倒しないように台板に支持される。さらに、支持体は、弾性部材又は磁石を有し、１以上の溝挿入部を、１列以上の案内溝の内面との摩擦力を強めるように、弾性部材の弾性復元力又は磁石の磁気的吸引力により、１列以上の案内溝の内面に押圧する。以上のように、本構成によれば、台板に対して支持体をスライド可能とするとともに、支持体を摩擦力により制止させることができ、かつ支持体の転倒を防止するオブジェクトエンドが実現する。なお、この構成は、後述の図１〜図１６に例示される。
【０００８】
本発明のうち第２の態様によるものは、第１の態様によるオブジェクトエンドであって、前記１列以上の案内溝は、単一列の案内溝であり、前記２以上の張り出し部は、前記単一列の案内溝の幅方向両端部において前記単一列の案内溝の内側に向かって張り出す２つの張り出し部であり、前記支持体の前記１以上の溝挿入部は、単一の溝挿入部である。そして、前記支持体は、前記弾性部材として、前記単一の溝挿入部に連結し、前記単一列の案内溝の底面を前記弾性復元力により押圧し、その反力により、前記単一の溝挿入部を、前記単一列の案内溝の前記２つの張り出し部に押圧する弾性部材を有している。前記支持体の前記単一の溝挿入部は、前記弾性部材を受け入れることにより、前記単一の溝挿入部に対する前記底面に沿った前記弾性部材の動きを規制する後退部を、底面に有している。前記支持体本体部を下方に押すことにより、前記弾性復元力に抗して前記単一の溝挿入部を押し下げることができ、それにより、前記単一の溝挿入部を前記２つの張り出し部から下方に離すことができる。
【０００９】
この構成によれば、１列以上の案内溝が単一列の案内溝であり、１以上の溝挿入部が単一の溝挿入部であるので、構造が簡素である。溝挿入部が、案内溝の幅方向両端部において案内溝の内側に向かって張り出す２つの張り出し部に係止されることにより、支持体は、案内溝から外れることなく、かつ傾倒しないように台板に支持される。また、支持体は、弾性部材を有しており、この弾性部材は、溝挿入部に連結し、案内溝の底面を弾性復元力により押圧し、その反力により、溝挿入部を２つの張り出し部に押圧する。それにより、溝挿入部と２つの張り出し部との間の摩擦力が強められる。この摩擦力が、支持体を台板に対して制止させる。また、支持体本体部を下方に押すことにより、溝挿入部と２つの張り出し部との間の押圧力を解除し、摩擦力を弱めることができる。その状態を保つことにより、支持体を案内溝に沿って、比較的軽い力でスライドさせることができる。溝挿入部は、弾性部材を受け入れることにより、溝挿入部に対する底面に沿った弾性部材の動きを規制する後退部を、底面に有するので、支持体を案内溝に沿ってスライドさせるときに、弾性部材が後退部に規制されることにより、溝挿入部に追随する。なお、この構成は、後述の図１〜図５、図１５（ａ）に例示される。
【００１０】
本発明のうち第３の態様によるものは、第２の態様によるオブジェクトエンドであって、前記支持体は、前記弾性部材と前記単一列の案内溝の底面との間に介在するように前記弾性部材に連結され、前記底面に対して摺動可能な摺動部材をさらに有している。前記支持体の前記単一の溝挿入部は、前記後退部として、前記弾性部材とともに前記摺動部材をも受け入れることにより、前記単一の溝挿入部に対する前記底面に沿った前記弾性部材及び前記摺動部材の動きを規制する後退部を、底面に有している。
【００１１】
この構成によれば、弾性部材と単一列の案内溝の底面との間に摺動部材が介在するので、支持体を案内溝に沿ってスライドさせるときに、弾性部材及び底面の損耗又は損傷を防ぐことができる。また、摺動部材が弾性部材とともに、溝挿入部の後退部に受け入れられ、後退部によって動きが規制されるので、支持体を案内溝に沿ってスライドさせるときに、弾性部材及び摺動部材が溝挿入部に追随する。なお本構成において、後退部が弾性部材を規制することは、摺動部材の規制を通じて間接的に規制すること、をも含む趣旨である。なお、本構成は、後述の図２〜図４に例示される。
【００１２】
本発明のうち第４の態様によるものは、第１の態様によるオブジェクトエンドであって、前記１列以上の案内溝は、単一列の案内溝であり、前記２以上の張り出し部は、前記単一列の案内溝の幅方向両端部において前記単一列の案内溝の内側に向かって張り出す２つの張り出し部であり、前記支持体の前記１以上の溝挿入部は、単一の溝挿入部である。そして、前記支持体は、前記磁石を、前記単一の溝挿入部の一部として有している。前記台板は、上面が前記単一列の案内溝の底面の少なくとも一部を成すように、前記単一列の案内溝に沿って配置され、前記磁石を吸引する強磁性体を含むシート状ないし板状の吸引体を有している。前記支持体は、前記磁石の吸引力により、前記単一の溝挿入部を、前記吸引体の前記上面に押圧する。さらに、前記単一の溝挿入部と前記２つの張り出し部との間に、隙間が存する。
【００１３】
この構成によれば、１列以上の案内溝が単一列の案内溝であり、１以上の溝挿入部が単一の溝挿入部であるので、構造が簡素である。溝挿入部が、案内溝の幅方向両端部において案内溝の内側に向かって張り出す２つの張り出し部に係止されることにより、支持体は、案内溝から外れることなく、かつ傾倒しないように台板に支持される。また、支持体は、磁石を有しており、台板は、上面が案内溝の底面の少なくとも一部を成すように、案内溝に沿って配置され、強磁性体を含むシート状ないし板状の吸引体を有しており、互いの吸引力により、溝挿入部が吸引体の上面に押圧される。それにより、溝挿入部と吸引体の上面との間の摩擦力が強められる。この摩擦力が、支持体を台板に対して制止させる。溝挿入部と２つの張り出し部との間に隙間があるので、支持体本体部を上方に持ち上げることにより、溝挿入部と吸引体の上面との間の押圧力を解除し、摩擦力を解消することができる。その状態を保つことにより、支持体を案内溝に沿って、比較的軽い力でスライドさせることが可能となる。なお、この構成は、後述の図１２〜図１４に例示される。
【００１４】
本発明のうち第５の態様によるものは、第２から第４のいずれかの態様によるオブジェクトエンドであって、前記支持体は、前記支持体本体部と前記単一の溝挿入部とが互いに固定されている。前記単一の溝挿入部は、前記単一列の案内溝により、鉛直軸周りの回転が規制される平面輪郭形状を有している。
この構成によれば、支持体の鉛直軸周りの回転が規制される。なお、この構成は、後述の図４、図５に例示される。
【００１５】
本発明のうち第６の態様によるものは、第２から第４のいずれかの態様によるオブジェクトエンドであって、前記支持体は、前記支持体本体部と前記単一の溝挿入部とが互いに固定されており、前記単一の溝挿入部は、円形の平面輪郭形状を有している。
この構成によれば、支持体を鉛直軸周りに回転させることができる。なお、この構成は、後述の図１〜図３に例示される。
【００１６】
本発明のうち第７の態様によるものは、第１の態様によるオブジェクトエンドであって、前記１列以上の案内溝は、単一列または２列の案内溝であり、前記２以上の張り出し部として、全幅の両端部において、前記単一列または２列の案内溝の内側に向かって張り出す２つの張り出し部を有している。そして、前記支持体の前記１以上の溝挿入部は、前記単一列または２列の案内溝の前記全幅の両端部にそれぞれ沿う２つの線状部と、前記２つの線状部から、互いに接近するように前記単一列または２列の案内溝の内側に、それぞれ延びる２つの内向部と、を有している。前記支持体の前記支持体本体部は、前記２つの内向部を連結し、かつ前記台板の上方に延びる連結部を有している。前記連結部は、前記全幅の両端部にそれぞれ沿う前記２つの線状部を、前記弾性部材の弾性復元力により、互いに拡幅する方向に付勢し、それにより前記２つの線状部を、前記単一列または２列の案内溝の前記全幅の両端部の内壁面に押圧する。前記支持体は、前記２つの線状部が前記２つの張り出し部にそれぞれ係止されることにより、前記単一列または２列の案内溝から外れることなく、かつ傾倒しないように前記台板に支持される。前記単一列または２列の案内溝は、各々の幅が、前記２つの線状部を前記全幅の両端部から離れるように縮幅可能な大きさに、設定されている。
【００１７】
この構成によれば、支持体は、２つの線状部と、これらの線状部から延びる２つの内向部と、これらの内向部を連結する連結部と、弾性部材とを有している。２つの線状部は、単一列または２列の案内溝の全幅の両端部にそれぞれ沿っており、連結部は弾性部材の弾性復元力により、２つの線状部を案内溝の全幅の両端部の内壁面に押圧する。それにより、２つの線状部と案内溝の全幅の両端部の内壁面との間の摩擦力が強められる。また、２つの線状部が、案内溝の全幅の両端部において案内溝の内側に向かって張り出す２つの張り出し部に係止されることにより、支持体は、案内溝から外れることなく、かつ傾倒しないように台板に支持される。さらに、２つの線状部と案内溝の全幅の両端部の内壁面との間の摩擦力が、支持体を台板に対して制止させる。単一列または２列の案内溝の各々の幅は、２つの線状部を全幅の両端部から離れるように縮幅可能な大きさに、設定されており、しかも、連結部は台板の上方に延びるので、台板の上方にある連結部の部分に、２つの線状部が縮幅するように力を加えることにより、２つの線状部と案内溝の全幅の両端部の内壁面との間の押圧力を解除し、摩擦力を弱めることができる。その状態を保つことにより、支持体を案内溝に沿って、比較的軽い力でスライドさせることができる。なお、２つの内向部に連結する２つの線状部は、それぞれ２つの内向部の端縁部であってもよい。また、連結部について、台板の上方に延びるとは、傾斜したり屈曲・湾曲したりしていても、全体として上方に延びておれば足り、鉛直に延びる形態に限定されない。なお、本構成は、後述の図６〜図１１、図１６に例示される。
【００１８】
本発明のうち第８の態様によるものは、第７の態様によるオブジェクトエンドであって、前記単一列または２列の案内溝は、各々の開口幅が、前記２つの線状部を、前記弾性復元力に抗して互いに縮幅させることにより、前記２つの線状部を前記単一列または２列の案内溝に着脱させることが可能な大きさに設定されている。
この構成によれば、２つの線状部を縮幅させることにより、支持体を案内溝に着脱させることができる。なお、この構成は、後述の図６〜図１１、図１６に例示される。
【００１９】
本発明のうち第９の態様によるものは、第７又は第８の態様によるオブジェクトエンドであって、前記連結部は、帯板状または棒状の部材を有しており、当該帯板状または棒状の部材は、前記２つの内向部を連結し、かつ前記台板の上方において屈曲又は湾曲した部分を含み、それにより前記弾性部材を構成して弾性変形可能である。
この構成によれば、連結部が弾性部材を兼ねるので、構成がより簡素となる。なお、この構成は、後述の図６〜図９、図１６に例示される。
【００２０】
本発明のうち第１０の態様によるものは、第９の態様によるオブジェクトエンドであって、前記連結部は、前記棒状の部材を有しており、前記２つの線状部及び前記２つの内向部は、当該棒状の部材とともに、連続した1本の棒状体を成している。
この構成によれば、直線状に延びる１本の棒状体を、屈曲又は湾曲させることにより、２つの線状部、２つの内向部、及び連結部を製造することができる。なお、この構成は、後述の図６〜図９、図１６に例示される。
【００２１】
本発明のうち第１１の態様によるものは、第１０の態様によるオブジェクトエンドであって、前記２つの内向部は、前記単一列または２列の案内溝が延在する一方向に関し、前記２つの線状部の前記一方向の端部からそれぞれ屈曲又は湾曲して、前記単一列または２列の案内溝の内側に延びている。そして、前記連結部の前記棒状の部材は、前記台板に対し起立した起立部と、当該起立部の下端から延び前記２つの内向部に連結する脚部と、を有している。前記起立部は、前記２つの内向部から、前記一方向の反対方向にずれた位置にある。さらに、前記脚部は、前記単一列または２列の案内溝の上方に露出し、かつ前記起立部から前記一方向に離れた部分を有している。
【００２２】
この構成によれば、台板の上に載置されるオブジェクトが、図書のような板状のものであって、起立部をオブジェクトに密着させた場合であっても、脚部が、オブジェクトから離れかつ案内溝の上方に露出する部分を有するので、この部分を容易に手指で挟むことができる。この部分に手指で、２つの線状部が縮幅するように力を加えることにより、２つの線状部と案内溝の全幅の両端部の内壁面との間の押圧力を解除し、摩擦力を弱めることができる。その状態を保つことにより、支持体を案内溝に沿って、比較的軽い力でスライドさせることができる。また、２つの内向部から見て、起立部が一方向の反対方向に離れており、２つの線状部も同じ反対方向に延びているので、支持体がより安定して台板に支持される。なお、この構成は、後述の図６〜図８、図１６に例示される。
【００２３】
本発明のうち第１２の態様によるものは、第７又は第８の態様によるオブジェクトエンドであって、前記連結部は、帯板状の部材を有しており、前記２つの線状部及び前記２つの内向部は、前記帯板状の部材とともに、連続した1本の帯板状体を成している。前記連結部の前記帯板状の部材は、前記２つの内向部に連結し、かつ前記台板の上方において屈曲又は湾曲した部分を含み、それにより前記２つの線状部を互いに拡縮するように、弾性変形可能である。そして、前記弾性部材は、両端が前記連結部の前記帯板状の部材に連結されており、それにより、前記連結部の前記帯板状の部材は、前記２つの線状部を、前記弾性部材の弾性復元力により、互いに拡幅する方向に付勢する。
この構成によれば、２つの線状部、２つの内向部、及び連結部を、容易に製造することができる。なお、この構成は、後述の図１０に例示される。
【００２４】
本発明のうち第１３の態様によるものは、第７又は第８の態様によるオブジェクトエンドであって、前記連結部は、前記台板の上方に位置する回動軸の周りに、一方が他方に対して回動することにより、開閉可能な２つの回動片を有している。そして、前記２つの内向部は、前記２つの回動片の下端部に、それぞれ連結されている。前記弾性部材は、両端が前記２つの回動片の前記一方と前記他方とに、それぞれ連結されており、それにより、前記２つの回動片は、前記２つの線状部を、前記弾性部材の弾性復元力により、互いに拡幅する方向に付勢する。
この構成によれば、連結部を簡素に構成することができる。なお、この構成は、後述の図１１に例示される。
【００２５】
本発明のうち第１４の態様によるものは、第７から第１３のいずれかの態様によるオブジェクトエンドであって、前記支持体本体部は、前記連結部に装着され、前記当接部分を含み、前記台板に対して起立する板状体を、さらに有している。前記連結部は、前記オブジェクトに面する、前記板状体の主面から後退し、かつ前記板状体から露出し、しかも前記単一列または２列の案内溝の上方に露出する部分を有する。
【００２６】
この構成によれば、台板の上に載置されるオブジェクトが、図書のような板状のものであって、板状体の主面をオブジェクトに密着させた場合であっても、連結部が、オブジェクトから離れ、かつ板状体から露出し、しかも案内溝の上方に露出する部分を有するので、この部分を容易に手指で挟むことができる。この部分に手指で、２つの線状部が縮幅するように力を加えることにより、２つの線状部と案内溝の全幅の両端部の内壁面との間の押圧力を解除し、摩擦力を弱めることができる。その状態を保つことにより、支持体を案内溝に沿って、比較的軽い力でスライドさせることができる。なお、この構成は、後述の図９、図１１に例示される。
【００２７】
本発明のうち第１５の態様によるものは、第１から第１４のいずれかの態様によるオブジェクトエンドであって、前記台板は、前記１列以上の案内溝に連通し、前記支持体の前記１以上の溝挿入部を前記１列以上の案内溝に出し入れするための開口部を、前記上面にさらに有している。  
この構成によれば、支持体の溝挿入部を、開口部を通じて案内溝に出し入れすることができる。なお、この構成は、後述の図１、図６、図９、図１２に例示される。
【００２８】
本発明のうち第１６の態様によるものは、第１から第１５のいずれかの態様によるオブジェクトエンドであって、前記台板は、各々が前記１列以上の案内溝のうち対応する案内溝の内面に沿うように屈曲しており、前記１列以上の案内溝にそれぞれ配置されたシート状ないし板状の１以上の案内溝部材を有している。
【００２９】
この構成によれば、台板の案内溝の内面の寸法精度が、案内溝部材の寸法精度によって定まる。従って、シート状ないし板状の部材を屈曲させることにより形成可能な案内溝部材の寸法精度を高めるだけで、台板の案内溝の内面の寸法精度を高めることができる。なお、この構成は、後述の図１７に例示される。
【００３０】
本発明のうち第１７の態様によるものは、第１から第１４のいずれかの態様によるオブジェクトエンドの前記１列以上の案内溝に、それぞれ配置して使用するための１以上の案内溝部材であって、各々が前記台板の前記１列以上の案内溝のうち対応する案内溝の内面に沿うように屈曲している。
【００３１】
この構成によれば、台板の案内溝の内面の寸法精度が、案内溝部材の寸法精度によって定まる。従って、シート状ないし板状の部材を屈曲させることにより形成可能な案内溝部材の寸法精度を高めるだけで、台板の案内溝の内面の寸法精度を高めることができる。なお、この構成は、後述の図１７に例示される。
【発明の効果】
【００３２】
以上のように本発明によれば、台板に対して支持体をスライド可能とするとともに、支持体を制止させることができ、かつ支持体の転倒を防止するオブジェクトエンド、及び当該オブジェクトエンドに用いられる案内溝部材が実現する。
【図面の簡単な説明】
【００３３】
【図１】本発明の一実施の形態によるオブジェクトエンドの構成を例示する斜視図である。
【図２】図１のオブジェクトエンドの溝挿入部を例示する斜視図である。
【図３】図１のオブジェクトエンドの断面構造を例示する側面断面図である。
【図４】図１のオブジェクトエンドの溝挿入部の別の例を示す斜視図である。
【図５】図１のオブジェクトエンドの弾性部材の別の例を示す斜視図である。
【図６】本発明の別の実施の形態によるオブジェクトエンドの構成を例示する斜視図である。
【図７】図６のオブジェクトエンドの支持体を例示する図であり、（ａ）は正面図、（ｂ）は側面図である。
【図８】図６のオブジェクトエンドの断面構造を例示する側面断面図である。
【図９】本発明のさらに別の実施の形態によるオブジェクトエンドの構成を例示する斜視図である。
【図１０】本発明のさらに別の実施の形態によるオブジェクトエンドの支持体を例示する斜視図である。
【図１１】本発明のさらに別の実施の形態によるオブジェクトエンドの支持体を例示する斜視図である。
【図１２】本発明のさらに別の実施の形態によるオブジェクトエンドの構成を例示する斜視図である。
【図１３】図１２のオブジェクトエンドの断面構造を例示する側面断面図である。
【図１４】本発明のさらに別の実施の形態によるオブジェクトエンドの構成を例示する側面断面図である。
【図１５】本発明のさらに別の実施の形態によるオブジェクトエンドの構成を例示する側面断面図である。
【図１６】本発明のさらに別の実施の形態によるオブジェクトエンドの構成を例示する側面断面図である。
【図１７】本発明のさらに別の実施の形態によるオブジェクトエンドに用いられる溝挿入部材の構成を例示する斜視図である。
【発明を実施するための形態】
【００３４】
図１は、本発明の一実施の形態によるオブジェクトエンドの構成を例示する斜視図である。このオブジェクトエンド１０１は、台板１及び支持体３を有している。台板１は、平板状であり、例えば木製である。台板１の上面には、図書、花瓶などのオブジェクト（支持対象物；図示略）が載置される。支持体３は、オブジェクトが倒れないように横から支える役割を果たす。台板１の上面には、台板１の長手方向に案内溝５が形成されている。支持体３は、案内溝５に係合することにより、案内溝５から外れることなく、かつ傾倒しないように台板１に支持されるとともに、案内溝５に案内されつつ、台板１に対してスライド可能である。図示の例では、台板１の長手方向の端部には、起立する端板７が固定されている。端板７も、支持体３とともに、オブジェクトを横から支える役割を果たす。オブジェクトエンド１０１は、端板７の無い形態とすることも可能である。オブジェクトエンド１０１は、書棚の各段を構成するものとして実施することも可能であり、この場合には、書棚の左右の端部の柱板が、端板７の役割を果たす。書棚の柱板は、台板１を固定していなくてもよく、台板１が落下しないように支持しておれば足りる。
【００３５】
支持体３は、台板１の上方に延びている支持体本体部９と、支持体本体部９の下部に連結され、案内溝５に挿入される溝挿入部１１と、を有している。図示の例では、支持体本体部９は、台板１の上に直立した板状体である。支持体本体部９は、図示の例に限られるものではなく、一般に、倒れようとするオブジェクトに当接してオブジェクトを支える当接部分を有するものであれば足りる。例えば、支持体本体部９は、筆立てなどの文具、人形などの装飾体であってもよい。図示の例では、板状の支持体本体部９の主面、あるいは主面の上端縁が、当接部分に相当する。
【００３６】
図２は、溝挿入部１１を例示する斜視図である。図示の例では溝挿入部１１は、直径が異なる２段の円板状部材が一体に連結した形状をなしている。溝挿入部１１の底部には、弾性部材１３が連結されている。図示の例では、弾性部材１３は圧縮コイルばねである。弾性部材１３の下端には、案内溝５の底面上を摺動する摺動部材１５が連結されている。図示の例では、摺動部材１５は円板状であり、上面中央に突起１７を有している。弾性部材１３は、摺動部材１５に対する下端の水平方向の動きが、突起１７によって拘束されている。
【００３７】
図３は、オブジェクトエンド１０１の断面構造を例示する側面断面図である。案内溝５は、幅方向両端部かつ上端部において、案内溝５の内側に向かって張り出す張り出し部１９を有している。図示の例では、張り出し部１９は、基端から先端まで同一の厚さであり、それにより、案内溝５は「Ｔ溝」の形状をなしている。
【００３８】
溝挿入部１１の底部には、円形の溝２１が形成されており、この円形の溝２１に、弾性部材１３の上端部が挿入されている。それにより、弾性部材１３の上端部は、溝挿入部１１に拘束されている。弾性部材１３は、弾性復元力により、摺動部材１５を案内溝５の底面に押圧し、その反力により、溝挿入部１１を２つの張り出し部１９に押圧する。溝挿入部１１の下段の円板状部材は、２つの張り出し部１９に阻まれて、案内溝５から抜け出ないように、その直径が設定されている。一方、溝挿入部１１の上段の円板状部材は、２つの張り出し部１９の隙間に、遊びを持って、あるいは遊び無しで挟まれるように、その直径が設定されている。
【００３９】
溝挿入部１１の上段の円板状部材の上面には、支持体本体部９の下端が固定されている。図示の例では、溝挿入部１１の上段の円板状部材の上面は、台板１の上面よりも僅かに上方に位置し、板状体である支持体本体部９の下端面が、円板状部材の上面に、例えば接着剤により固着されている。その結果、支持体本体部９と台板１との間に、隙間が形成される。また、溝挿入部１１と案内溝５の底面との間にも、隙間が形成されている。このため、支持体本体部９を下方に押すことにより、弾性部材１３の弾性復元力に抗して溝挿入部１１を押し下げることができる。それにより、溝挿入部１１を２つの張り出し部１９から離し、溝挿入部１１と張り出し部１９との間の押圧力を解除することができる。
【００４０】
溝挿入部１１の底面には、弾性部材１３とともに、摺動部材１５を受け入れる後退部２３が、さらに形成されている。上述の円形の溝２１は、後退部２３の天井面に形成されている。後退部２３は、弾性部材１３及び摺動部材１５を受け入れることにより、弾性部材１３及び摺動部材１５の水平方向の動きを規制する機能を果たす。直接には摺動部材１５の動きが、後退部２３により規制され、その結果、摺動部材１５に拘束される弾性部材１３の動きが、間接的に規制される。それにより、支持体３を案内溝５に沿ってスライドさせるときに、弾性部材１３及び摺動部材１５が、溝挿入部１１に追随する。
【００４１】
以上の通り、溝挿入部１１が、２つの張り出し部１９に係止されることにより、支持体３は、案内溝５から外れることなく、かつ傾倒しないように台板１に支持される。また、弾性部材１３により溝挿入部１１が張り出し部１９に押圧されるので、溝挿入部１１と張り出し部１９との間の摩擦力が強められる。この摩擦力が、支持体３を台板１に対して制止させる。支持体本体部９を手指等により下方に押すことにより、溝挿入部１１と張り出し部１９との間の押圧力を解除し、摩擦力を弱めることができる。その状態を保つことにより、支持体３を案内溝５に沿って、比較的軽い力でスライドさせることができる。
【００４２】
図示の例では、溝挿入部１１は、円形の平面輪郭形状を有するので、案内溝５に挿入された状態において、鉛直軸周りに回転可能である。このため、図示の例のように、支持体本体部９と溝挿入部１１とが、互いに固定されている場合であっても、支持体本体部９を鉛直軸周りに回転させることが可能である。
【００４３】
図１に戻って、台板１の上面には、溝挿入部１１を案内溝５に出し入れするための開口部２５が形成されている。開口部２５は、案内溝５に連通している。図示の例では、開口部２５は、案内溝５の延長をなし、かつ、２つの張り出し部１９を除去した形状をなしている。また、図示の例では、開口部２５は、台板１の長手方向の端部に形成されている。これに対して、開口部２５を、案内溝５の中途に形成することも可能である。
【００４４】
図４は、溝挿入部の別の例を示す斜視図である。例示する溝挿入部２７は、平面輪郭形状が矩形をなしている。このため溝挿入部２７は、挿入される案内溝５により鉛直軸周りの回転が規制される。溝挿入部２７と支持体本体部９とが固定されておれば、支持体本体部９も鉛直軸周りの回転が規制されることとなる。
【００４５】
図５は、弾性部材の別の例を示す斜視図である。例示される弾性部材２９は、下端に至るほど径が広がる圧縮コイルバネである。図４の摺動部材１５は除去されている。摺動部材１５が無くても、弾性部材２９は、溝挿入部２７の後退部２３（図３参照）に受け入れられることにより、水平方向の動きが後退部２３によって規制される。このため、支持体３を案内溝５に沿ってスライドさせるときに、弾性部材２９が溝挿入部１１に追随する。図示の例では、弾性部材２９が案内溝５の底面を擦りながら移動するときに、底面との摩擦をより小さくするように、弾性部材２９の下端部は、上方に屈曲している。
【００４６】
図６は、本発明の別の実施の形態によるオブジェクトエンドの構成を例示する斜視図である。図７は、図６のオブジェクトエンドの支持体を例示する図であり、（ａ）は正面図、（ｂ）は側面図である。また、図８は、図６のオブジェクトエンドの断面構造を例示する側面断面図である。このオブジェクトエンド１０２は、支持体３１が、屈曲又は湾曲し、かつ連続した1本の棒状体を成している。このため、支持体３１は、直線状に延びる１本の棒状体を、屈曲又は湾曲させることにより、容易に形成することができる。
【００４７】
１本の棒状体を成す支持体３１は、案内溝５の幅方向両端部に沿う２つの線状部３３と、これらの線状部３３から互いに接近するように案内溝５の内側に、それぞれ延びる２つの内向部３５と、これらの内向部３５を連結し、かつ台板１の上方に延びる連結部３７とを有している。線状部３３及び内向部３５は、溝挿入部３９を構成し、連結部３７は支持体本体部４１を構成している。支持体３１の材料は、例えば金属であり、一例として表面が錆びないようにメッキされた鋼である。
【００４８】
連結部３７は、台板１の上方において円を描くように湾曲した部分を含んでおり、それにより開閉するように弾性変形可能である。連結部３７は、自身の弾性復元力により、２つの線状部３３を互いに拡幅する方向に付勢し、それにより２つの線状部３３を、案内溝５の幅方向両端部の内壁面に押圧する。このため、２つの線状部３３が、２つの張り出し部１９にそれぞれ係止される。その結果、支持体３１が案内溝５から外れることなく、かつ傾倒しないように台板１に支持される。また、押圧力により、２つの線状部３３と案内溝５の幅方向両端部の内壁面との間の摩擦力が強められるので、支持体３１が台板１に対して制止させられる。
【００４９】
案内溝５は、その幅が、２つの線状部３３を案内溝５の幅方向両端部から離れるように縮幅可能な大きさに、設定されている。また、連結部３７は台板１の上方に延びるので、台板１の上方にある連結部３７の部分に、２つの線状部３３が縮幅するように、閉方向に力を加えることにより、２つの線状部３３と案内溝５の幅方向両端部の内壁面との間の押圧力を解除し、摩擦力を弱めることができる。その状態を保つことにより、支持体３１を案内溝５に沿って、比較的軽い力でスライドさせることができる。
【００５０】
より具体的には、２つの内向部３５は、案内溝５が延在する一方向Ｘに関し、２つの線状部３３の一方向Ｘの端部からそれぞれ屈曲して、案内溝５の内側に延びている。また、連結部３７は、台板１に対し起立した起立部４３と、起立部４３の下端から延び２つの内向部３５に連結する脚部４５と、を有している。起立部４３は、２つの内向部３５から、一方向Ｘの反対方向にずれた位置にある。脚部４５は、案内溝５の上方に露出し、かつ起立部４３から一方向Ｘに離れた部分を有している。図６において、脚部４５のうち、例えば起立している部分が、当該部分に該当する。このため、台板１の上に載置されるオブジェクトが、図書のような板状のものであって、起立部４３をオブジェクトに密着させた場合であっても、脚部４５が、オブジェクトから離れかつ案内溝５の上方に露出する部分を有するので、この部分を容易に手指で挟むことができる。この部分に手指で、２つの線状部３３が縮幅するように力を加えることにより、２つの線状部３３と案内溝５の幅方向両端部の内壁面との間の押圧力を解除し、摩擦力を弱めることができる。また、２つの内向部３５から見て、起立部４３が一方向Ｘの反対方向に離れており、２つの線状部３３も同じ反対方向に延びているので、支持体３１がより安定して台板１に支持される。
【００５１】
案内溝５の開口幅、すなわち図示の例では、２つの張り出し部１９の間に形成される開口の幅が、２つの線状部３３を、連結部３７の弾性復元力に抗して互いに縮幅させることにより、２つの線状部３３を案内溝５に着脱させることが可能な大きさに設定されるのが望ましい。それにより、２つの線状部３３を縮幅させることにより、支持体３１を案内溝５に着脱させることができる。すなわち、開口部２５が無くても、支持体３１を案内溝５に着脱させることができる。
【００５２】
図９は、本発明のさらに別の実施の形態によるオブジェクトエンドの構成を例示する斜視図である。このオブジェクトエンド１０３では、支持体４７は、支持体３１（図６参照）と同様の、屈曲ないし湾曲した棒状体４９に加えて、棒状体４９のうちの連結部５１に装着される板状体５３を有している。板状体５３は、連結部５１とともに、支持体本体部を構成する。図示の例では、連結部５１は、２つの内向部３５から上方へ起立する逆「Ｕ」字状を成している。板状体５３には、底部に開口する装着孔５５が形成されており、この装着孔５５に連結部５１を挿入することにより、板状体５３が連結部５１に装着される。板状体５３の主面またはその上端部が、オブジェクトに当接する当接部分として機能する。このため、棒状体４９は、単に板状体５３を支持するのみで足りるので、図示例のように、簡素な構成を採ることができる。
【００５３】
また、図示例では、板状体５３の下端から連結部５１が露出するように、装着孔５５の深さが設定されている。それにより、台板１の上に載置されるオブジェクトが、図書のような板状のものであって、板状体５３をオブジェクトに密着させた場合であっても、棒状体４９が、オブジェクトから幾分か離れ、かつ案内溝５の上方に露出する部分を有するので、この部分を容易に手指で挟むことができる。この部分に手指で、２つの線状部３３が縮幅するように力を加えることにより、２つの線状部３３と案内溝５の幅方向両端部の内壁面との間の押圧力を解除し、摩擦力を弱めることができる。
【００５４】
図１０は、本発明のさらに別の実施の形態によるオブジェクトエンドの支持体を例示する斜視図である。この支持体５７は、屈曲又は湾曲し、かつ連続した1本の帯板状体５９と、弾性部材６１とを有している。このように、支持体５７の構成は簡素である。帯板状体５９は、案内溝５（図９等参照）の幅方向両端部に沿う２つの線状部６３と、これらの線状部６３から互いに接近するように案内溝５の内側に、それぞれ延びる２つの内向部６５と、これらの内向部６５を連結し、かつ台板１の上方に延びる連結部６７とを有している。線状部６３及び内向部６５は、溝挿入部６９を構成する。連結部６７と弾性部材６１は、支持体本体部７１を構成する。帯板状体５９は、例えば合成樹脂を成型加工することにより、製造可能である。図示の例では、線状部６３は、帯板状体５９の他の部分の厚さよりも直径の大きい棒状をなしているが、他の部分と同じ厚さであってもよい。
【００５５】
連結部６７は、台板１の上方において、逆「Ｕ」字を描くように湾曲した部分を含んでおり、それにより開閉するように弾性変形可能である。起立して互いに向き合う、連結部６７の２つの内側壁面には、弾性部材６１の両端が連結されている。図示の例では、弾性部材６１は圧縮コイルバネである。弾性部材６１は、自身の弾性復元力により、連結部６７を開く方向に、すなわち、２つの線状部６３を互いに拡幅する方向に付勢し、それにより２つの線状部６３を、案内溝５の幅方向両端部の内壁面に押圧する。このため、２つの線状部６３が、２つの張り出し部１９（図９参照）にそれぞれ係止される。その結果、支持体５７が案内溝５から外れることなく、かつ傾倒しないように台板１に支持される。また、押圧力により、２つの線状部６３と案内溝５の幅方向両端部の内壁面との間の摩擦力が強められるので、支持体５７が台板１に対して制止させられる。
【００５６】
連結部６７は台板１の上方に延びるので、台板１の上方にある連結部６７の部分に、２つの線状部６３が縮幅するように、閉方向に力を加えることにより、２つの線状部６３と案内溝５の幅方向両端部の内壁面との間の押圧力を解除し、摩擦力を弱めることができる。その状態を保つことにより、支持体５７を案内溝５に沿って、比較的軽い力でスライドさせることができる。
【００５７】
図１１は、本発明のさらに別の実施の形態によるオブジェクトエンドの支持体を例示する斜視図である。この支持体７３は、一対の帯板状体７５，７７を有している。帯板状体７５，７７は、双方合わせて、図１０の帯板状体５９の湾曲した頂部を平坦にしたような形状を成している。すなわち、帯板状体７５，７７は、案内溝５（図９等参照）の幅方向両端部に沿う２つの線状部６３と、これらの線状部６３から互いに接近するように案内溝５の内側に、それぞれ延びる２つの内向部６５と、これらの内向部６５の互いに向き合う端部から台板１の上方に延び、かつ頭部において互いに当接し合うように屈曲した起立部７９，８１とを有している。線状部６３及び内向部６５は、溝挿入部６９を構成する。
【００５８】
支持体７３は、さらに、起立部７９，８１の胴部の略中央部から互いに向き合う方向に延びる一組の接続部材８３，８５と、一組の接続部材８３，８５を互いに回動自在に連結する回動軸８７と、を有している。これらの起立部７９，８１、接続部材８３，８５、及び回動軸８７は、２つの内向部６５を連結し、かつ台板１の上方に延びる連結部８９を構成する。同時に、起立部７９，８１及び接続部材８３，８５は、台板１の上方に位置する回動軸８７の周りに、一方が他方に対して回動することにより、開閉可能な２つの回動片９３，９５を構成する。起立部７９，８１の頂部が互いに当接し合うことにより、回動片９３，９５の過度な開きが規制される。接続部材８３，８５が連結された帯板状体７５，７７は、例えば合成樹脂を成型加工することにより、製造可能である。図示の例では、線状部６３は、帯板状体７５，７７の他の部分の厚さよりも直径の大きい棒状をなしているが、他の部分と同じ厚さであってもよい。
【００５９】
支持体７３は、さらに、自身の弾性復元力により、連結部８９を開く方向に、すなわち、２つの線状部６３を互いに拡幅する方向に付勢する弾性部材９１を有している。連結部８９及び弾性部材９１は、支持体本体部９７を構成する。図示の例では、弾性部材９１はトーションばねであり、らせん状部に回動軸８７が挿通されることにより、回動軸８７に拘束され、両端部が起立部７９，８１の下部の内側面に当接することにより、連結部８９を開く方向に付勢する。２つの線状部６３は、互いに拡幅する方向に付勢されることにより、案内溝５の幅方向両端部の内壁面に押圧される。このため、２つの線状部６３が、２つの張り出し部１９（図８参照）にそれぞれ係止される。その結果、支持体７３が案内溝５から外れることなく、かつ傾倒しないように台板１に支持される。また、押圧力により、２つの線状部６３と案内溝５の幅方向両端部の内壁面との間の摩擦力が強められるので、支持体７３が台板１に対して制止させられる。
【００６０】
連結部８９あるいは起立部７９，８１は、台板１の上方に延びるので、台板１の上方にある連結部８９の部分に、２つの線状部６３が縮幅するように、閉方向に力を加えることにより、２つの線状部６３と案内溝５の幅方向両端部の内壁面との間の押圧力を解除し、摩擦力を弱めることができる。その状態を保つことにより、支持体７３を案内溝５に沿って、比較的軽い力でスライドさせることができる。
【００６１】
支持体本体部９７は、連結部８９及び弾性部材９１に加えて、図示の例のように、連結部８９に装着される板状体９９を有してもよい。図示の例では、板状体９９には、底部に開口する切れ込み２０１が形成されており、この切れ込み２０１の内壁面が、連結部８９を構成する起立部７９，８１の一方の外壁面に、例えば接着剤あるいは木ネジにより固定されている。切れ込み２０１は、連結部８９の開閉を妨げない大きさに設定される。板状体９９は、帯板状体７５，７７の幅方向、すなわち案内溝５の長手方向の一方側に寄せて、連結部８９に固定され、板状体９９の厚さは、好ましくは図示例のように、帯板状体７５，７７の幅よりも小さく設定される。それにより、板状体９９の主面またはその上端部が、オブジェクトに当接する当接部分として機能するとともに、板状体９９に妨げられることなく、手指で連結部８９を閉じることが可能となる。
【００６２】
図１２は、本発明のさらに別の実施の形態によるオブジェクトエンドの構成を例示する斜視図である。また、図１３は、図１２のオブジェクトエンドの断面構造を例示する側面断面図である。このオブジェクトエンド１０４は、台板２０３が、鉄板などの強磁性体の底板２０７を有し、支持体２０９の溝挿入部２１１が、弾性部材１３及び摺動部材１５に代えて、底板２０７を吸引する磁石２１４を有する点において、図１〜図３に例示したオブジェクトエンド１０１とは異なっている。磁石２１４と底板２０７との間の磁気的吸引力により、溝挿入部２１１が底板２０７の上面に押圧され、それにより互いの間の摩擦力が強められる。
【００６３】
より詳細には、台板２０３は、台板本体部２０５と底板２０７とを有している。台板本体部２０５は、台板２０３の上部を成す平板状であり、台板１（図１、図２参照）と同様に、案内溝５が形成されているが、案内溝５の底は開放されている。台板本体部２０５は、例えば木製である。底板２０７は、案内溝５の底を塞ぐように、台板本体部２０５の底面を覆っている。すなわち底板２０７は、上面が案内溝５の底面を成すように、案内溝５に沿って配置された部分を含んでいる。この部分は、本発明の「吸引体」の一具体例に相当する。底板２０７は、例えば木ネジにより、台板本体部２０５の底面に固着される。
【００６４】
支持体２０９は、支持体本体部９と溝挿入部２１１とを有している。支持体本体部９は、図１に例示している。溝挿入部２１１は、溝挿入部本体２１３と磁石２１４とを有している。溝挿入部本体２１３は、一例として、溝挿入部１１（図２，図３参照）と同様に、直径が異なる２段の円板状部材が一体に連結した形状をなしている。溝挿入部本体２１３の底部には、円形の溝２１５が形成されており、この円形の溝２１５に、磁石２１４が挿入されている。磁石２１４は、図示例では円板状である。好ましくは、図示例のように、磁石２１４の底面は、溝挿入部本体２１３の底面よりも、僅かながら下方に突出している。それにより、磁石２１４は、溝挿入部本体２１３に妨げられることなく、磁性体の底板２０７に直接に吸着し、強い吸着力を発揮することができる。これに対して、磁石２１４が溝挿入部本体２１３の底面に露出しないように、磁石２１４が溝挿入部本体２１３の中に埋め込まれていてもよい。
【００６５】
また、溝挿入部２１１と２つの張り出し部１９との間には、僅かながら隙間が形成されている。このため、支持体本体部９を上方に持ち上げることにより、溝挿入部２１１と底板２０７との間の押圧力を解除し、摩擦力を解消することができる。その状態を保つことにより、支持体２０９を案内溝５に沿って、比較的軽い力でスライドさせることが可能となる。
【００６６】
底板２０７は、板状の強磁性体を、例えばプラスチック製の保護膜で覆ったものであってもよい。この場合においても、磁石２１４と底板２０７との間の磁気的吸引力により、溝挿入部２１１が底板２０７の上面に押圧され、それにより互いの間の摩擦力が強められることに、変わりはない。
【００６７】
図示の例では、溝挿入部２１１は、図２に例示した溝挿入部１１と同様に、円形の平面輪郭形状を有するので、案内溝５に挿入された状態において、鉛直軸周りに回転可能である。このため、支持体本体部９と溝挿入部２１１とが、互いに固定されている場合であっても、支持体本体部９を鉛直軸周りに回転させることが可能である。これに対し、図４及び図５に例示した溝挿入部２７と同様に、溝挿入部２１１の平面輪郭形状を、溝挿入部２１１の鉛直軸周りの回転が規制される形状とすることも可能である。
【００６８】
図１４は、本発明のさらに別の実施の形態によるオブジェクトエンドの構成を例示する側面断面図である。このオブジェクトエンド１０５は、底板２０７に代えて、鉄シートなどの強磁性体シート２２１が、その上面が案内溝５の底面を成すように、案内溝５に沿って配置されている点において、オブジェクトエンド１０４（図１２、図１３参照）とは異なっている。強磁性体シート２２１は、本発明の「吸引体」の一具体例に相当する。
【００６９】
より詳細には、台板２１７は、台板本体部２１９と強磁性体シート２２１とを有している。台板本体部２１９は、台板２１７の主要部を成す平板状であり、台板１（図１、図２参照）と同様に、案内溝５が形成されている。台板本体部２１９は、例えば木製である。強磁性体シート２２１は、例えば接着剤により、案内溝５の底面に固着される。磁石２１４と強磁性体シート２２１との間の磁気的吸引力により、溝挿入部２１１が強磁性体シート２２１の上面に押圧され、それにより互いの間の摩擦力が強められる。強磁性体シート２２１に代えて、シート状又は板状の強磁性体を、例えばプラスチックの保護膜で覆ったシート状体又は板状体を、案内溝５の底面に沿って配置してもよい。この場合においても、磁石２１４とシート状体又は板状体との間の磁気的吸引力により、溝挿入部２１１がシート状体又は板状体に押圧され、それにより互いの間の摩擦力が強められる。これらのシート状体又は板状体は、本発明の「吸引体」の一具体例に相当する。
【００７０】
図１５は、本発明のさらに別の実施の形態によるオブジェクトエンドの構成を例示する側面断面図である。以上に例示したオブジェクトエンド１０１〜１０５では、案内溝５は一列であり、しかも「Ｔ溝」の形態であった。これに対し図１５は、案内溝５について他の様々な形態を例示している。
【００７１】
図１５（ａ）に例示するオブジェクトエンド１０６では、台板２２３が有する案内溝２２５は、「蟻溝」の形態を成している。すなわち、案内溝２２５の幅方向両端部において、案内溝２２５の内側に向かって張り出す張り出し部２２７は、三角形の断面形状を有している。溝挿入部２２９は、張り出し部１９（図３参照）と同様に、２つの張り出し部２２７に係止されることにより、支持体２３１は、案内溝２２５から外れることなく、かつ傾倒しないように台板２２３に支持される。なお図において、溝挿入部２２９の断面形状は、概略形状を表している。以下の図１５（ｂ）〜（ｄ）においても同様である。
【００７２】
図１５（ｂ）に例示するオブジェクトエンド１０７では、台板２３３には２列の案内溝２３５，２３７が形成されている。案内溝２３５，２３７の各々の幅方向両端部のうち、互いに最も遠い部位に、張り出し部２３９，２４１が形成されている。支持体２４０は、支持体本体部９の下部に連結された２個の溝挿入部２４３，２４５を有し、これらの溝挿入部２４３，２４５は、案内溝２３５，２３７に個別に挿入されている。溝挿入部２４３，２４５は、張り出し部２３９，２４１に個別に係止される。溝挿入部２４３，２４５は、支持体本体部９によって互いに連結されているので、支持体２４０は、案内溝２３５，２３７から外れることなく、かつ傾倒しないように台板２３３に支持される。
【００７３】
図１５（ｃ）に例示するオブジェクトエンド１０８では、台板２４７には２列の案内溝２４９，２５１が形成されている。案内溝２４９，２５１の各々の幅方向両端部のうち、互いに最も近い部位に、張り出し部２５３，２５５が形成されている。支持体２５７は、支持体本体部９の下部に連結された２個の溝挿入部２５９，２６１を有し、これらの溝挿入部２５９，２６１は、案内溝２４９，２５１に個別に挿入されている。溝挿入部２５９，２６１は、張り出し部２５３，２５５に個別に係止される。溝挿入部２５９，２６１は、支持体本体部９によって互いに連結されているので、支持体２５７は、案内溝２４９，２５１から外れることなく、かつ傾倒しないように台板２４７に支持される。なお、溝挿入部２５９，２６１を、溝挿入部１１（図１）、２７（図４，図５）、２１１（図１２）と同様の形状とし、張り出し部２５３，２５５とともに、図１５（ｂ）の張り出し部２３９，２４１を形成してもよい。
【００７４】
図１５（ｄ）に例示するオブジェクトエンド１０９では、台板２６３には２列の案内溝２６５，２６７が形成されている。案内溝２６５，２６７の各々の幅方向両端部のうち、互いに同一方向端部に、張り出し部２６９，２７１が形成されている。支持体２７３は、支持体本体部９の下部に連結された２個の溝挿入部２７５，２７７を有し、これらの溝挿入部２７５，２７７は、案内溝２６５，２６７に個別に挿入されている。溝挿入部２７５，２７７は、張り出し部２６９，２７１に個別に係止される。溝挿入部２７５，２７７は、支持体本体部９によって互いに連結されているので、支持体２７３は、案内溝２６５，２６７から外れることなく、かつ傾倒しないように台板２６３に支持される。
【００７５】
図１６は、本発明のさらに別の実施の形態によるオブジェクトエンドの構成を例示する側面断面図である。このオブジェクトエンド１１０は、案内溝５が２列の案内溝２７９，２８１に分割されている点において、図８に例示したオブジェクトエンド１０２とは異なっている。より詳細には、オブジェクトエンド１１０では、台板２８３の上面に、２列の案内溝２７９，２８１が形成されており、２つの張り出し部１９は、２列の案内溝２７９，２８１の全幅の両端部に形成されている。図８に例示したオブジェクトエンド１０２と同様に、支持体３１の２つの線状部３３が、２つの張り出し部１９にそれぞれ係止されることにより、支持体３１は、案内溝２７９，２８１から外れることなく、かつ傾倒しないように台板２８３に支持される。案内溝２７９，２８１の各々の開口幅を適度に広く設定することにより、２つの線状部３３を、支持体３１の弾性復元力に抗して互いに縮幅させることができ、それにより、案内溝２７９，２８１に着脱させることが可能である。
【００７６】
図１７は、本発明のさらに別の実施の形態によるオブジェクトエンドに用いられる溝挿入部材の構成を例示する斜視図である。図１７に例示される溝挿入部材２８５は、シート状又は板状であり、図１等に例示した案内溝５の内面に沿うように屈曲した形状を成す。溝挿入部材２８５は、例えば、金属製又はプラスチック製である。溝挿入部材２８５を案内溝５に装着することにより、案内溝５の寸法誤差を吸収することができる。溝挿入部材２８５は、例えば接着剤により、案内溝５の内面に固着される。溝挿入部材２８５が、鋼などの強磁性体製である場合には、図１４に例示した強磁性体シート２２１の代用とすることも可能である。
【符号の説明】
【００７７】
１  台板、  ３  支持体、  ５  案内溝、  ７  端板、  ９  支持体本体部、  １１  溝挿入部、  １３  弾性部材、  １５  摺動部材、  １７  突起、  １９  張り出し部、  ２１  溝、  ２３  後退部、  ２５  開口部、  ２７  溝挿入部、  ２９  弾性部材、  ３１  支持体、  ３３  線状部、  ３５  内向部、  ３７  連結部、  ３９  溝挿入部、  ４１  支持体本体部、  ４３  起立部、  ４５  脚部、  ４７  支持体、  ４９  棒状体、  ５１  連結部、５３  板状体  、  ５５  装着孔、  ５７  支持体、  ５９  帯板状体、  ６１  弾性部材、  ６３  線状部、  ６５  内向部、  ６７  連結部、  ６９  溝挿入部、  ７１  支持体本体部、  ７３  支持体、  ７５，７７  帯板状体、  ７９，８１  起立部、  ８３，８５  接続部材、  ８７  回動軸、  ８９  連結部、  ９１  弾性部材、  ９３，９５  回動片、  ９７  支持体本体部、  ９９  板状体、  １０１，１０２，１０３，１０４，１０５，１０６，１０７，１０８，１０９，１１０  オブジェクトエンド、  ２０１  切れ込み、  ２０３  台板、  ２０５  台板本体部、  ２０７  底板、  ２０９  支持体、  ２１１  溝挿入部、  ２１３  溝挿入部本体、  ２１４  磁石、  ２１５  溝、  ２１７  台板、  ２１９  台板本体部、  ２２１  強磁性体シート、  ２２３  台板、  ２２５  案内溝、  ２２７  張り出し部、  ２２９  溝挿入部、  ２３１  支持体、  ２３３  台板、  ２３５，２３７  案内溝、  ２３９，２４１  張り出し部、  ２４０  支持体、  ２４３，２４５  溝挿入部、  ２４７  台板、  ２４９，２５１  案内溝、  ２５３，２５５  張り出し部、  ２５７  支持体、  ２５９，２６１  溝挿入部、  ２６３  台板、  ２６５，２６７  案内溝、  ２６９，２７１  張り出し部、  ２７３  支持体、  ２７５，２７７  溝挿入部、  ２７９，２８１  案内溝、  ２８３  台板、  ２８５  溝挿入部材、  一方向  Ｘ。
【図１】
2020182652.tif 000003
【図２】
2020182652.tif 000004
【図３】
2020182652.tif 000005
【図４】
2020182652.tif 000006
【図５】
2020182652.tif 000007
【図６】
2020182652.tif 000008
【図７】
2020182652.tif 000009
【図８】
2020182652.tif 000010
【図９】
2020182652.tif 000011
【図１０】
2020182652.tif 000012
【図１１】
2020182652.tif 000013
【図１２】
2020182652.tif 000014
【図１３】
2020182652.tif 000015
【図１４】
2020182652.tif 000016
【図１５】
2020182652.tif 000017
【図１６】
2020182652.tif 000018
【図１７】
2020182652.tif 000019
【手続補正書】
【提出日】令和1年8月25日(2019.8.25)
【手続補正１】
【補正対象書類名】特許請求の範囲
【補正対象項目名】全文
【補正方法】変更
【補正の内容】
【特許請求の範囲】
【請求項１】
オブジェクトエンドであって、
案内溝が上面に延在する台板と、
前記案内溝に沿ってスライド可能に前記台板に支持され、前記台板の上に載置されるオブジェクトを倒れないように横から支える支持体と、を備え、
前記案内溝は、幅方向の両端部において、前記案内溝の内側に向かって張り出す２つの張り出し部を有しており、
前記支持体は、倒れようとする前記オブジェクトに当接して前記オブジェクトを支える当接部分を有する支持体本体部と、当該支持体本体部の下部に連結され、前記案内溝に挿入される溝挿入部とを有し、それにより、前記溝に案内されつつスライド可能であり、
前記支持体は、前記溝挿入部が前記案内溝の前記２つの張り出し部に係止されることにより、前記案内溝から外れることなく、かつ傾倒しないように前記台板に支持され、
前記支持体は、前記溝挿入部に連結する弾性部材を有し、
前記弾性部材は、前記案内溝の底面を前記弾性部材の弾性復元力により押圧し、その反力により、前記溝挿入部を、前記案内溝の前記２つの張り出し部に押圧し、
前記支持体の前記溝挿入部は、前記弾性部材を受け入れることにより、前記溝挿入部に対する前記底面に沿った前記弾性部材の動きを規制する後退部を、底面に有し、
前記支持体本体部を下方に押すことにより、前記弾性復元力に抗して前記溝挿入部を押し下げることができ、それにより、前記溝挿入部を前記２つの張り出し部から下方に離すことができ、
前記弾性部材は、圧縮コイルバネであり、
前記圧縮コイルバネの下端部は上方に屈曲している、オブジェクトエンド。
【請求項２】
オブジェクトエンドであって、
案内溝が上面に延在する台板と、
前記案内溝に沿ってスライド可能に前記台板に支持され、前記台板の上に載置されるオブジェクトを倒れないように横から支える支持体と、を備え、
前記案内溝は、幅方向の両端部において、前記案内溝の内側に向かって張り出す２つの張り出し部を有しており、
前記支持体は、倒れようとする前記オブジェクトに当接して前記オブジェクトを支える当接部分を有する支持体本体部と、当該支持体本体部の下部に連結され、前記案内溝に挿入される溝挿入部とを有し、それにより、前記溝に案内されつつスライド可能であり、
前記支持体は、前記溝挿入部が前記案内溝の前記２つの張り出し部に係止されることにより、前記案内溝から外れることなく、かつ傾倒しないように前記台板に支持され、
前記支持体は、前記溝挿入部に連結する弾性部材を有し、
前記弾性部材は、前記案内溝の底面を前記弾性部材の弾性復元力により押圧し、その反力により、前記溝挿入部を、前記案内溝の前記２つの張り出し部に押圧し、
前記支持体本体部を下方に押すことにより、前記弾性復元力に抗して前記溝挿入部を押し下げることができ、それにより、前記溝挿入部を前記２つの張り出し部から下方に離すことができ、
前記支持体は、前記弾性部材と前記案内溝の底面との間に介在するように前記弾性部材に連結され、前記底面に対して摺動可能な摺動部材をさらに有し、
前記支持体の前記溝挿入部は、前記弾性部材とともに前記摺動部材を受け入れることにより、前記溝挿入部に対する前記底面に沿った前記弾性部材及び前記摺動部材の動きを規制する後退部を、底面に有する、オブジェクトエンド。
【請求項３】
オブジェクトエンドであって、
案内溝が上面に延在する台板と、
前記案内溝に沿ってスライド可能に前記台板に支持され、前記台板の上に載置されるオブジェクトを倒れないように横から支える支持体と、を備え、
前記案内溝は、幅方向の両端部において、前記案内溝の内側に向かって張り出す２つの張り出し部を有しており、
前記支持体は、倒れようとする前記オブジェクトに当接して前記オブジェクトを支える当接部分を有する支持体本体部と、当該支持体本体部の下部に連結され、前記案内溝に挿入される溝挿入部とを有し、それにより、前記溝に案内されつつスライド可能であり、
前記支持体は、前記溝挿入部が前記案内溝の前記２つの張り出し部に係止されることにより、前記案内溝から外れることなく、かつ傾倒しないように前記台板に支持され、
前記支持体は、磁石を、前記溝挿入部の一部として有し、
前記台板は、上面が前記案内溝の底面の少なくとも一部を成すように、前記案内溝に沿って配置され、前記磁石を吸引する強磁性体を含むシート状ないし板状の吸引体を有し、
前記支持体は、前記磁石の吸引力により、前記溝挿入部を、前記吸引体の前記上面に押圧し、
前記溝挿入部と前記２つの張り出し部との間に、隙間が存する、オブジェクトエンド。
【請求項４】
オブジェクトエンドであって、
案内溝が上面に延在する台板と、
前記案内溝に沿ってスライド可能に前記台板に支持され、前記台板の上に載置されるオブジェクトを倒れないように横から支える支持体と、を備え、
前記案内溝は、幅方向の両端部において、前記案内溝の内側に向かって張り出す２つの張り出し部を有しており、
前記支持体は、倒れようとする前記オブジェクトに当接して前記オブジェクトを支える当接部分を有する支持体本体部と、当該支持体本体部の下部に連結され、前記案内溝に挿入される溝挿入部とを有し、それにより、前記溝に案内されつつスライド可能であり、
前記支持体は、前記溝挿入部が前記案内溝の前記２つの張り出し部に係止されることにより、前記案内溝から外れることなく、かつ傾倒しないように前記台板に支持され、
前記支持体は、前記溝挿入部に連結する弾性部材を有し、
前記弾性部材は、前記案内溝の底面を前記弾性部材の弾性復元力により押圧し、その反力により、前記溝挿入部を、前記案内溝の前記２つの張り出し部に押圧し、
前記支持体の前記溝挿入部は、前記弾性部材を受け入れることにより、前記溝挿入部に対する前記底面に沿った前記弾性部材の動きを規制する後退部を、底面に有し、
前記支持体本体部を下方に押すことにより、前記弾性復元力に抗して前記溝挿入部を押し下げることができ、それにより、前記溝挿入部を前記２つの張り出し部から下方に離すことができ、
前記支持体は、前記支持体本体部と前記溝挿入部とが互いに固定されており、
前記溝挿入部は、円形の平面輪郭形状を有する、オブジェクトエンド。
【請求項５】
オブジェクトエンドであって、
単一列または２列の案内溝が上面に延在する台板と、
前記１列以上の案内溝に沿ってスライド可能に前記台板に支持され、前記台板の上に載置されるオブジェクトを倒れないように横から支える支持体と、を備え、
前記単一列または２列の案内溝は、全幅の両端部において、前記単一列または２列の案内溝の内側に向かって張り出す２つの張り出し部を有しており、
前記支持体は、
倒れようとする前記オブジェクトに当接して前記オブジェクトを支える当接部分を有する支持体本体部と、
前記単一列または２列の案内溝の前記全幅の両端部にそれぞれ沿う２つの線状部と、
前記２つの線状部から、互いに接近するように前記単一列または２列の案内溝の内側に、それぞれ延びる２つの内向部と、を有し、
前記支持体の前記支持体本体部は、前記２つの内向部を連結し、かつ前記台板の上方に延びる連結部を有し、それにより、前記支持体は、前記単一列または２列の溝に案内されつつスライド可能であり、
前記連結部は、棒状の部材を有し、
当該棒状の部材は、前記２つの内向部を連結し、かつ前記台板の上方において屈曲又は湾曲した部分を含み、それにより弾性部材を構成して弾性変形可能であり、
前記２つの線状部及び前記２つの内向部は、前記棒状の部材とともに、連続した1本の棒状体を成し、
前記連結部は、前記全幅の両端部にそれぞれ沿う前記２つの線状部を、前記弾性部材の弾性復元力により、互いに拡幅する方向に付勢し、それにより前記２つの線状部を、前記単一列または２列の案内溝の前記全幅の両端部の内壁面との摩擦力を強めるように、前記単一列または２列の案内溝の前記全幅の両端部の内壁面に押圧し、
前記支持体は、前記２つの線状部が前記２つの張り出し部にそれぞれ係止されることにより、前記単一列または２列の案内溝から外れることなく、かつ傾倒しないように前記台板に支持され、
前記単一列または２列の案内溝は、各々の幅が、前記２つの線状部を前記全幅の両端部から離れるように縮幅可能な大きさに、設定されており、
前記２つの内向部は、前記単一列または２列の案内溝が延在する一方向に関し、前記２つの線状部の前記一方向の端部からそれぞれ屈曲又は湾曲して、前記単一列または２列の案内溝の内側に延びており、
前記連結部の前記棒状の部材は、
前記台板に対し起立した起立部と、
当該起立部の下端から延び前記２つの内向部に連結する脚部と、を有し、
前記起立部は、前記２つの内向部から、前記一方向の反対方向にずれた位置にあり、
前記脚部は、前記単一列または２列の案内溝の上方に露出し、かつ前記起立部から前記一方向に離れた部分を有する、オブジェクトエンド。
【請求項６】
オブジェクトエンドであって、
単一列または２列の案内溝が上面に延在する台板と、
前記１列以上の案内溝に沿ってスライド可能に前記台板に支持され、前記台板の上に載置されるオブジェクトを倒れないように横から支える支持体と、を備え、
前記単一列または２列の案内溝は、全幅の両端部において、前記単一列または２列の案内溝の内側に向かって張り出す２つの張り出し部を有しており、
前記支持体は、
倒れようとする前記オブジェクトに当接して前記オブジェクトを支える当接部分を有する支持体本体部と、
前記単一列または２列の案内溝の前記全幅の両端部にそれぞれ沿う２つの線状部と、
前記２つの線状部から、互いに接近するように前記単一列または２列の案内溝の内側に、それぞれ延びる２つの内向部と、を有し、
前記支持体の前記支持体本体部は、前記２つの内向部を連結し、かつ前記台板の上方に延びる連結部を有し、それにより、前記支持体は、前記単一列または２列の溝に案内されつつスライド可能であり、
前記連結部は、帯板状の部材を有し、
前記２つの線状部及び前記２つの内向部は、前記帯板状の部材とともに、連続した1本の帯板状体を成しており、
前記連結部の前記帯板状の部材は、前記２つの内向部に連結し、かつ前記台板の上方において屈曲又は湾曲した部分を含み、それにより前記２つの線状部を互いに拡縮するように、弾性変形可能であり、
前記支持体は、弾性部材を有し、
前記弾性部材は、両端が前記連結部の前記帯板状の部材に連結されており、それにより、前記連結部の前記帯板状の部材は、前記２つの線状部を、前記弾性部材の弾性復元力により、互いに拡幅する方向に付勢し、それにより前記２つの線状部を、前記単一列または２列の案内溝の前記全幅の両端部の内壁面との摩擦力を強めるように、前記単一列または２列の案内溝の前記全幅の両端部の内壁面に押圧し、
前記支持体は、前記２つの線状部が前記２つの張り出し部にそれぞれ係止されることにより、前記単一列または２列の案内溝から外れることなく、かつ傾倒しないように前記台板に支持され、
前記単一列または２列の案内溝は、各々の幅が、前記２つの線状部を前記全幅の両端部から離れるように縮幅可能な大きさに、設定されている、オブジェクトエンド。
【請求項７】
オブジェクトエンドであって、
単一列または２列の案内溝が上面に延在する台板と、
前記１列以上の案内溝に沿ってスライド可能に前記台板に支持され、前記台板の上に載置されるオブジェクトを倒れないように横から支える支持体と、を備え、
前記単一列または２列の案内溝は、全幅の両端部において、前記単一列または２列の案内溝の内側に向かって張り出す２つの張り出し部を有しており、
前記支持体は、
倒れようとする前記オブジェクトに当接して前記オブジェクトを支える当接部分を有する支持体本体部と、
前記単一列または２列の案内溝の前記全幅の両端部にそれぞれ沿う２つの線状部と、
前記２つの線状部から、互いに接近するように前記単一列または２列の案内溝の内側に、それぞれ延びる２つの内向部と、を有し、
前記支持体の前記支持体本体部は、前記２つの内向部を連結し、かつ前記台板の上方に延びる連結部を有し、それにより、前記支持体は、前記単一列または２列の溝に案内されつつスライド可能であり、
前記連結部は、前記台板の上方に位置する回動軸の周りに、一方が他方に対して回動することにより、開閉可能な２つの回動片を有しており、
前記２つの内向部は、前記２つの回動片の下端部に、それぞれ連結されており、
前記支持体は、弾性部材を有し、
前記弾性部材は、両端が前記２つの回動片の前記一方と前記他方とに、それぞれ連結されており、それにより、前記２つの回動片は、前記２つの線状部を、前記弾性部材の弾性復元力により、互いに拡幅する方向に付勢し、それにより前記２つの線状部を、前記単一列または２列の案内溝の前記全幅の両端部の内壁面との摩擦力を強めるように、前記単一列または２列の案内溝の前記全幅の両端部の内壁面に押圧し、
前記支持体は、前記２つの線状部が前記２つの張り出し部にそれぞれ係止されることにより、前記単一列または２列の案内溝から外れることなく、かつ傾倒しないように前記台板に支持され、
前記単一列または２列の案内溝は、各々の幅が、前記２つの線状部を前記全幅の両端部から離れるように縮幅可能な大きさに、設定されている、オブジェクトエンド。
【請求項８】
オブジェクトエンドであって、
単一列または２列の案内溝が上面に延在する台板と、
前記１列以上の案内溝に沿ってスライド可能に前記台板に支持され、前記台板の上に載置されるオブジェクトを倒れないように横から支える支持体と、を備え、
前記単一列または２列の案内溝は、全幅の両端部において、前記単一列または２列の案内溝の内側に向かって張り出す２つの張り出し部を有しており、
前記支持体は、
倒れようとする前記オブジェクトに当接して前記オブジェクトを支える当接部分を有する支持体本体部と、
前記単一列または２列の案内溝の前記全幅の両端部にそれぞれ沿う２つの線状部と、
前記２つの線状部から、互いに接近するように前記単一列または２列の案内溝の内側に、それぞれ延びる２つの内向部と、を有し、
前記支持体の前記支持体本体部は、前記２つの内向部を連結し、かつ前記台板の上方に延びる連結部を有し、それにより、前記支持体は、前記単一列または２列の溝に案内されつつスライド可能であり、
前記支持体は、弾性部材を有し、
前記連結部は、前記全幅の両端部にそれぞれ沿う前記２つの線状部を、前記弾性部材の弾性復元力により、互いに拡幅する方向に付勢し、それにより前記２つの線状部を、前記単一列または２列の案内溝の前記全幅の両端部の内壁面に押圧し、
前記支持体は、前記２つの線状部が前記２つの張り出し部にそれぞれ係止されることにより、前記単一列または２列の案内溝から外れることなく、かつ傾倒しないように前記台板に支持され、
前記単一列または２列の案内溝は、各々の幅が、前記２つの線状部を前記全幅の両端部から離れるように縮幅可能な大きさに、設定されており、
前記支持体本体部は、前記連結部に装着され、前記当接部分を含み、前記台板に対して起立する板状体を、さらに有し、
前記連結部は、前記オブジェクトに面する、前記板状体の主面から後退し、かつ前記板状体から露出し、しかも前記単一列または２列の案内溝の上方に露出する部分を有する、オブジェクトエンド。